(57)【要約】【課題】記憶性液晶ディスプレイを採用しながら、ドライバが故障した場合にも表示されている画像が第三者に見られることを防ぎ、機密性がより高い画像表示装置を提供する。【解決手段】記憶性液晶を用いた画像表示装置であって、複数のドライバの位置に対応する位置に設けられ、対応する位置のドライバの温度に関する情報を検出する複数のサーミスタ３０２ａ〜ｅと、サーミスタ３０２ａ〜ｅの各々によって検出された温度の相違に基づいて、ドライバの故障及び故障したドライバを検出するＣＰＬＤ４０５、ＣＰＬＤ４０５によって故障が検出された場合、ディスプレイ３０１の画面に表示されている画像の少なくとも一部を消去する表示体駆動制御回路４０３、ＳＥＧ用表示体駆動回路４０７、ＣＯＭ用表示体駆動回路４０８を備える。【選択図】図４
2007286316.tif 000002
【特許請求の範囲】
【請求項１】
複数のドライバが電極に電圧を印加することによって画面が書換えられ、書換えられた後には前記電極に電圧を印加することなく前記画面の表示を維持できる記憶性液晶を用いた画像表示装置であって、
前記複数のドライバの位置に対応する位置に設けられ、対応する位置のドライバの温度に関する情報を検出する複数の温度検出手段と、
複数の前記温度検出手段の各々によって検出された温度の相違に基づいて、前記ドライバの故障及び故障したドライバを検出する故障検出手段と、
前記故障検出手段によって故障が検出された場合、前記画面に表示されている画像の少なくとも一部を消去する画像消去手段と、
を備えることを特徴とする画像表示装置。
【請求項２】
前記画像消去手段は、
前記故障検出手段によって故障が検出されたドライバである故障ドライバへの電力供給を停止し、電力供給が停止されたドライバを除く他のドライバの駆動を制御して表示中の画像を消去することを特徴とする請求項１に記載の画像表示装置。
【請求項３】
前記画像消去手段は、
複数のドライバのうち所定の数のドライバを単位にして電力供給する電力供給ユニットと、
前記電力供給ユニットを制御し、故障ドライバを含むドライバへの電力供給ユニットによる電力供給を停止させる電力供給停止手段と、
を備えることを特徴とする請求項２に記載の画像表示装置。
【請求項４】
前記ドライバは、第１方向に沿って配列される複数のドライバでなる第１ドライバ群、第１方向と直交する第２方向に配列される複数のドライバでなる第２ドライバ群を含み、
前記画像消去手段は、
前記故障検出手段によって故障が検出されたドライバである故障ドライバが第１ドライバ群に含まれる場合、第１ドライバ群への電力供給を停止し、第２ドライバ群に含まれるドライバに電力を供給して表示中の画像を消去することを特徴とする請求項１に記載の画像表示装置。
【請求項５】
前記第１ドライバ群が前記電極にグラウンド電圧を供給するグラウンド電圧供給手段を備え、前記画像消去手段は、前記グラウンド電圧供給手段に電力供給することによって作動させ、前記電極にグラウンド電圧を印加することを特徴とする請求項４に記載の画像表示装置。
【請求項６】
前記ドライバは、多段階に設定された電圧のいずれかを所定の電圧印加期間ごとに切換えながら複数の走査電極及びデータ電極の各々に印加し、走査電極及びデータ電極によって電圧が印加される液晶の配向状態を変化させることを特徴とする請求項１から５のいずれか１項に記載の画像表示装置。
【発明の詳細な説明】
【技術分野】
【０００１】
本発明は、画像表示装置に係り、特に多段階に設定された電圧を組み合わせて構成されるパターンの電圧を電極に印加して、画像の書換えを行う画像表示装置に関する。
【背景技術】
【０００２】
現在、コレステリック液晶を用いた液晶ディスプレイが実用化されている。コレステリック液晶を用いた液晶ディスプレイは、いったん描画された画像を、電圧を供給することなく維持できるという特性から記憶性液晶ディスプレイとも言われている。低消費電力な記憶性液晶ディスプレイは、携帯型の表示装置に好適な構成である。
コレステリック液晶における画像の書換えを高速化する技術として、ＤＤＳ（Ｄｙｎａｍｉｃ  Ｄｒｉｖｅ  ｓｃｈｅｍｅ）駆動がある。ＤＤＳ駆動とは、複数のレベルの電圧を組合わせて生成された波形の電圧をディスプレイの走査電極及びデータ電極に印加することによってコレステリック液晶の配向をプレーナ配向またはフォーカルコニック配向に切換えるものである。
【０００３】
ＤＤＳの従来技術としては、例えば、特許文献１が挙げられる。
【特許文献１】米国特許第５７４８２７７号
【発明の開示】
【発明が解決しようとする課題】
【０００４】
ところで、表示体としてコレステリック液晶を使った画像表示装置は、他のＳＴＮ液晶等を使用した画像表示装置よりも高い電圧を駆動制御電圧に使用する。これは、コレステリック液晶が反射型液晶であるため、良好な反射率を実現するためには、ある一定以上のセルギャップを必要とするためである。その結果、液晶の状態を切り替えるためには、高い電圧を必要とする。より具体的には、ＳＴＮ等の他の画像表示装置の駆動には４０Ｖ程度の電圧が使用されるのに対し、コレステリック液晶で比較的良好なコントラストを得るために使用される電圧値は５５〜６０Ｖにまで及ぶ。
【０００５】
また、コレステリック液晶の駆動方法の中でも、上述したＤＤＳ駆動は、コンベンショナル駆動方法よりもディスプレイの電極に電圧を印加するドライバにかかる負荷が大きくなる。これは、多段階の電圧を頻繁にスイッチングするため、電圧切替時に瞬間的に設計以上の電圧がドライバにかかる可能性があるためである。このようなＤＤＳ駆動のドライバは、当然のことながら、他の駆動方法によって動作するドライバよりも故障率が高くなる。
【０００６】
しかしながら、記憶性液晶のディスプレイは、ドライバが故障した場合にも表示中の画像が表示されたままの状態になって書換えができない。このため、機密性の高い情報を含む画像を表示した状態でドライバが故障した場合、表示中の画像に含まれる情報が第三者に知られる可能性を生じるという欠点があり、ドライバが故障しても安全に廃棄することが出来ない。
【０００７】
本発明は、このような点に鑑みてなされたものであって、記憶性液晶ディスプレイを採用しながら、ドライバが故障した場合にも表示されている画像が第三者に見られることを防ぎ、機密性がより高い画像表示装置を提供することを目的とする。
【課題を解決するための手段】
【０００８】
以上の課題を解決するため、本発明の画像表示装置は、複数のドライバが電極に電圧を印加することによって画面が書換えられ、書換えられた後には前記電極に電圧を印加することなく前記画面の表示を維持できる記憶性液晶の画像表示装置であって、前記複数のドライバの位置に対応する位置に設けられ、対応する位置のドライバの温度に関する情報を検出する複数の温度検出手段と、複数の前記温度検出手段の各々によって検出された温度の相違に基づいて、前記ドライバの故障及び故障したドライバを検出する故障検出手段と、前記故障検出手段によって故障が検出された場合、前記画面に表示されている画像の少なくとも一部を消去する画像消去手段と、を備えることを特徴とする。
【０００９】
このような発明によれば、複数の温度検出手段の各々によって検出された温度の相違に基づいて、故障したドライバを検出することができる。そして、故障が検出された場合、画像表示装置の画面に表示されている画像の少なくとも一部を消去することができる。このため、機密性の高い情報を含む画像を表示している間にドライバが故障し、画像を書換えることができなくなった場合にもこの画像が第三者に見られることを防ぐことができる。したがって、本発明は、記憶性液晶ディスプレイを採用しながら、ドライバが故障した場合にも表示されている画像が第三者に見られることを防ぎ、機密性がより高い画像表示装置を提供することができる。
【００１０】
また、本発明の画像表示装置は、前記画像消去手段が、前記故障検出手段によって故障が検出されたドライバである故障ドライバへの電力供給を停止し、電力供給が停止されたドライバを除く他のドライバの駆動を制御して表示中の画像を消去することを特徴とする。
このような発明によれば、ドライバ構成を変えることが必要ない。したがって、ディスプレイ装置の既存の構成を変更することなく本発明を実現することができる。
【００１１】
また、本発明の画像表示装置は、前記画像消去手段が、複数のドライバのうち所定の数のドライバを単位にして電力供給する電力供給ユニットと、前記電力供給ユニットを制御し、故障ドライバを含むドライバへの電力供給ユニットによる電力供給を停止させる電力供給停止手段と、を備えることを特徴とする。
このような発明によれば、比較的単純な手段によって本発明を実現することができる。
【００１２】
また、本発明は、前記ドライバが、第１方向に沿って配列される複数のドライバでなる第１ドライバ群、第１方向と直交する第２方向に配列される複数のドライバでなる第２ドライバ群を含み、前記画像消去手段は、前記故障検出手段によって故障が検出されたドライバである故障ドライバが第１ドライバ群に含まれる場合、第１ドライバ群への電力供給を停止し、第２ドライバ群に含まれるドライバに電力を供給して表示中の画像を消去することを特徴とする。
【００１３】
このような発明によれば、故障ドライバが含まれる側のドライバ群を判定すればよく、故障ドライバを特定する構成よりも故障検出に高い精度を要しない。また、ドライバ群を単位に電力を供給するため、電力供給用回路の増大を抑えることができる。
また、本発明の画像表示装置は、前記第１ドライバ群が前記電極にグラウンド電圧を供給するグラウンド電圧供給手段を備え、前記画像消去手段は、前記グラウンド電圧供給手段に電力供給することによって作動させ、前記電極にグラウンド電圧を印加することを特徴とする。
【００１４】
このような発明によれば、第２ドライバ群から電極に高電圧を印加すると共に故障した第１ドライバ群からも電極にグラウンド電圧を印加することができる。このため、液晶に対し好適な条件で電圧を印加することができて良好に画像を消去することができる。
また、本発明は、前記ドライバが、多段階に設定された電圧のいずれかを所定の電圧印加期間ごとに切換えながら複数の走査電極及びデータ電極の各々に印加し、走査電極及びデータ電極によって電圧が印加される液晶の配向状態を変化させることを特徴とする。
【００１５】
このような発明によれば、高電圧を使用し、かつ多段階の電圧を頻繁にスイッチングするために故障が起きやすいＤＤＳ駆動に本発明を適用し、本発明を有効に利用することができる。
【発明を実施するための最良の形態】
【００１６】
以下、図を参照して本発明に係る画像表示装置の実施形態１、実施形態２を説明する。
先ず、本実施形態の画像表示装置用ドライバの説明に先立って、ＤＤＳ駆動について説明する。図１は、ディスプレイにおけるコレステリック液晶の配向状態を説明するための図である。ディスプレイは、コレステリック液晶４を透明電極３が形成されたガラス基板１の間に封入し、最下層に光吸収層２を設けて構成されている。
【００１７】
このようなディスプレイに電圧を印加すると、液晶は、図１（ａ）〜（ｃ）に示す３つの配向状態を取り得る。図１（ａ）に示すプレーナ配向は、液晶の軸の向きによって光が光吸収層２に光が届くことなく反射する。このような状態では、ディスプレイは選択反射により画像の白を表示する。また、（ｂ）に示すフォーカルコニック配向及び（ｃ）に示すホメオトロピック配向においては、ディスプレイに入射した光が光吸収層２に届いて画像の黒が表示される。図1（ａ）及び（ｂ）は電圧が印加されなくても、状態を保持するため、記憶性表示体として白状態もしくは黒状態を安定的に維持することが可能である。
【００１８】
図２は、図１に示した配向状態を実現するため、高速に配向状態を遷移させることが可能なＤＤＳ（Ｄｙｎａｍｉｃ Ｄｒｉｖｅ Ｓｃｈｅｍｅ）駆動の電圧印加のタイミングを示している。また、Ｒ０、Ｒ１、Ｒ２、Ｒ３は、ディスプレイの画素のラインを示していて、ラインとは、共通のデータ電極によって選択される画素の行をいう。図２は、各ラインに印加される電圧の種別と印加期間を示したものである。以下、走査電極に接続された走査電極側ドライバを対象として、実施形態を説明する。
【００１９】
各ラインに電圧が印加される期間は、電圧の印加の仕方によってＮｏｎ−Ｓｅｌｅｃｔｉｏｎ期間、Ｐｒｅｐａｒａｔｉｏｎ期間、Ｓｅｌｅｃｔｉｏｎ期間、Ｅｖｏｌｕｔｉｏｎ期間の４つに分類される。Ｎｏｎ−Ｓｅｌｅｃｔｉｏｎ期間は、液晶の状態を変化させない電圧を印加する期間であって、Ｐｒｅｐａｒａｔｉｏｎ期間は、液晶をホメオトロピック配向の状態にする電圧を印加する期間である。
【００２０】
また、Ｓｅｌｅｃｔｉｏｎ期間は、いったんホメオトロピック配向の状態になった液晶を最終的にフォーカルコニック配向またはプレーナ配向に遷移させるために、ホメオトロピック配向を維持する電圧、もしくは過渡プレーナー配向状態に遷移させる電圧を印加する期間である。Ｅｖｏｌｕｔｉｏｎ期間は、Ｓｅｌｅｃｔｉｏｎ期間の後で、ホメオトロピック配向状態を維持する、もしくは過渡プレーナー配向をフォーカルコニック配向に遷移させる期間であり、Ｅｖｏｌｕｔｉｏｎ期間の後で電圧を除去することで、ホメオトロピック配向状態になっている液晶をプレーナー状態に、フォーカルコニック配向状態の液晶をそのままフォーカルコニック配向状態に維持させる。これにより、プレーナー状態及びフォーカルコニック状態の選択を可能とする。
【００２１】
Ｐｒｅｐａｒａｔｉｏｎ期間においてホメオトロピック配向の状態になった液晶を、フォーカルコニック配向に遷移させるためには、Ｓｅｌｅｃｔｉｏｎ期間において、比較的低い電圧を印加して弱い電界をかけた後にＥｖｏｌｕｔｉｏｎ期間に移行する。また、プレーナ配向に遷移させるためには、同様にＳｅｌｅｃｔｉｏｎ期間に比較的高い電圧を印加して強い電界を加えた後に、Ｅｖｏｌｕｔｉｏｎ期間に移行する。
【００２２】
（実施形態１）
本発明の実施形態１の画像表示装置は、複数のドライバが電極に電圧を印加することによって画面が書換えられ、書換えられた後には電極に電圧を印加することなく画面の表示を維持できる記憶性液晶をディスプレイにする画像表示装置である。
また、実施形態１では、ドライバを、多段階に設定された電圧のいずれかを所定の電圧印加期間ごとに切換えながら複数の走査電極及びデータ電極の各々に印加し、走査電極及びデータ電極によって電圧が印加される液晶の配向状態を変化させるＤＤＳ駆動用のドライバとする。
図３は、実施形態１の画像表示装置を説明するための図であって、実施形態１の画像表示装置が備えるディスプレイ３０１を説明するための図である。
【００２３】
ここで、ディスプレイは、図１、図２で説明したコレステリック液晶を用いた記憶性液晶を用いた構成である。そして、多段階に設定された電圧のいずれかを所定の電圧印加期間ごとに切換えながら複数の電極の各々に印加し、コレステリック液晶の配向状態を変化させる、いわゆるＤＤＳ駆動を採用している。
電極は、水平（行）方向に延びる帯状電極（走査電極）と、水平方向と直交する垂直（列）方向に延びる帯状電極（データ電極）とでなる。走査電極及びデータ電極は、各々走査電極用ドライバ、データ電極用ドライバによって選択的に電圧が印加される。
【００２４】
走査電極、データ電極の交点に相当する箇所のうち、交差する走査電極及びデータ電極の両方に電圧が印加された箇所にある所定の範囲の液晶に電圧が印加され、この箇所に対応する液晶部分の配向状態が変化する。
図示した構成のうち、Ｎ個のＹドライバが実施形態１の走査電極３０３に電圧を供給する走査電極用ドライバである。また、Ｍ個のＸドライバが実施形態１のデータ電極３０４に電圧を供給するデータ電極用ドライバである。実施形態１では、以降、走査電極用ドライバをＹドライバ、データ電極用ドライバをＸドライバと記す。
【００２５】
走査電極３０３はＮ本あって、Ｙドライバ１〜Ｎが（Ｎ×Ｙドライバの出力本数）本の走査電極の各々に対応している。また、データ電極３０４はＭ本あって、Ｘドライバ１〜Ｍが（Ｍ×Ｘドライバの出力本数）本のデータ電極３０４の各々に対応している。Ｎ個のＹドライバでなるＹドライバ群は実施形態２の第１ドライバ群であって、Ｍ個のＸドライバでなるＸドライバ群は実施形態２の第２ドライバ群である。
【００２６】
また、実施形態１では、Ｙドライバ１〜Ｎをコモン（ＣＯＭ）ドライバ、Ｘドライバ１〜Ｍをセグメント（ＳＥＧ）ドライバとも記す。
また、本実施形態の画像表示装置は、複数のＹドライバ１〜Ｎ、Ｘドライバ１〜Ｍの位置に対応する位置に設けられ、対応する位置のドライバＹまたはドライバＸの温度に関する情報を検出する複数のサーミスタ３０２ａ、サーミスタ３０２ｂ、サーミスタ３０２ｃ、サーミスタ３０２ｄ、サーミスタ３０２ｅを備えている。
【００２７】
サーミスタ３０２ａ〜サーミスタ３０２ｅは、ドライバが故障した場合に回路が熱を発することに着目して設けられたものであって、回路が発生した熱を温度測定によって検出するものである。
一般的に記憶性液晶のディスプレイを一定の駆動タイミングで駆動する場合、駆動時の温度によってコントラスト比が大きく変化するため、複数のサーミスタによって温度をモニタし、モニタの結果を電圧制御などの駆動条件に反映することがなされる場合がある。特に、コレステリック液晶のＤＤＳ駆動においては、１℃以下の単位で駆動条件を変更させる必要があるため、複数のサーミスタにより、ディスプレイの温度をモニタすることが必要となる。実施形態１は、サーミスタ３０２ａ〜サーミスタ３０２ｅとして電圧制御に使用される温度をモニタする既存のサーミスタを流用することが可能である。また、実施形態１の構成のためサーミスタ３０２ａ〜サーミスタ３０２ｅを専用に設けるものであってもよい。どちらの場合にしても、温度検出を行うためのＡＤコンバータや検出プログラムは電圧制御用に用いている温度検出回路を流用することが可能である。その結果、故障検出用回路で新規に構築する部分が少なくて済む。
【００２８】
サーミスタ３０２ａ〜サーミスタ３０２ｅを用いてドライバの故障を検出するため、実施形態１は、例えば、サーミスタ３０２ａ〜サーミスタ３０２ｅを、Ｙドライバ、Ｘドライバとの位置関係（距離）が各々異なるように配置する。そして、サーミスタ３０２ａ〜サーミスタ３０２ｅの測定によって得られた温度の差分が所定のしきい値以上になった場合にドライバ自体が発熱したとして故障を検出する。
【００２９】
図３に示した例では、例えば、サーミスタ３０２ａによって検出された温度がサーミスタ３０２ｂによって検出された温度よりも高く、かつ両者の検出温度の差分がしきい値以上であった場合、Ｙドライバ群に含まれて、かつ比較的図における上方に位置するドライバのいずれかが故障したと判断することができる。
また、例えば、サーミスタ３０２ｅによって検出された温度がサーミスタ３０２ｂによって検出された温度よりも高く、かつ両者の検出温度の差分がしきい値以上であった場合、Ｘドライバ群に含まれて、かつ比較的図における右方に位置するドライバのいずれかが故障したと判断することができる。
【００３０】
同様に、実施形態１は、サーミスタ３０２ｄによって検出された温度が他のサーミスタによって検出された温度よりも高く、かつ検出温度の差分がしきい値以上であった場合、Ｙドライバ群またはＸドライバ群に含まれて、かつ図における左下部に位置するドライバのいずれかが故障したと判断することができる。
実施形態１は、サーミスタとＹドライバ、Ｘドライバとを個別に対応させるものではなく、サーミスタ３０２ａ〜サーミスタ３０２ｅによって検出された温度の相違のパターンに対応して複数のドライバを選択し、選択されたドライバのみに対する電力供給を停止する。
【００３１】
なお、全てのＹドライバ、Ｘドライバの各々に沿うようにしてサーミスタを設ければ、ドライバ個々の発熱状態を監視することができる。また、予め故障が起きやすい位置にあるドライバを予測し、このドライバの近傍に集中的にサーミスタを配置することも可能である。このような構成によれば、温度検出にかかるコストを高めることなく故障したドライバを高い精度で特定することができる。
【００３２】
図４は、図３に示したディスプレイ３０１を備えた実施形態１の画像表示装置を説明するための図である。実施形態１の画像表示装置は、サーミスタ３０２ａ〜サーミスタ３０２ｅ（図中では統括して３０２）を備えたディスプレイ３０１と、ディスプレイ３０１への電力供給を制御するコントローラ４０とでなる。
コントローラ４０は、Ｙドライバ１〜Ｎを駆動するＣＯＭ用表示体駆動回路４０８、Ｘドライバ１〜Ｍを駆動するＳＥＧ用表示体回路４０７と接続している。そして、コントローラ４０は、ＣＯＭ用表示体駆動回路４０８及びＳＥＧ用表示体回路４０７を制御する表示体駆動制御回路４０３、表示体駆動制御回路４０３による制御に必要な情報を出力する機能と後述する電源ＯＮ／ＯＦＦ４０４を制御する機能を有するＣＰＬＤ（Complex Programmable Logic Device）４０５、サーミスタ３０２ａ〜サーミスタ３０２ｅ（図中では３０２）が検出した温度をデジタル変換するＡＤＣ（Analog-to-Digital Converter）４１１、ＡＤＣ４１１がデジタル変換した温度のデータを使ったＣＰＬＤ４０５による演算処理に用いられるＲＯＭ４０９及びＲＡＭ４１０を備えている。
【００３３】
ＣＰＬＤ４０５は、サーミスタ３０２ａ〜サーミスタ３０２ｅによって検出された温度の相違に基づいて、ＹドライバもしくはＸドライバの故障及び故障したＹドライバまたはＸドライバを検出する故障検出手段として機能する。
また、コントローラ４０は、Ｙドライバ１〜Ｎの各々に対応するＮ個の電源生成回路４０２、Ｘドライバ１〜Ｍの各々に対応するＭ個の電源生成回路４０１の各々をオン、オフする電源ＯＮ／ＯＦＦ回路４０４を備えている。
【００３４】
複数の電源生成回路４０１、４０２の各々は、実施形態１の電力供給ユニットである。また、電源ＯＮ／ＯＦＦ回路４０４は、電源生成回路４０１、４０２による電力供給を停止させる電力供給停止手段として機能する。
電源ＯＮ／ＯＦＦ回路４０４によってオンされた電源生成回路４０１、４０２は、外部から供給された電圧を昇圧し、ＳＥＧ用表示体駆動回路４０７、ＣＯＭ用表示体駆動回路４０８に供給する。
【００３５】
通常の動作時、電圧が供給されたＳＥＧ用表示体駆動回路４０７、ＣＯＭ用表示体駆動回路４０８は、ディスプレイ３０１に表示されるべき画像データに基づいて表示体駆動制御回路４０３によって制御される。そして、ＳＥＧ用表示体駆動回路４０７、ＣＯＭ用表示体駆動回路４０８は、ＣＰＬＤ４０５によって故障が検出された場合、ユーザによる画像書換えボタン４０６の操作等をトリガーとして表示中の画像の少なくとも一部を消去する。
【００３６】
上記した構成のうち、表示体駆動制御回路４０３、ＳＥＧ用表示体駆動回路４０７、ＣＯＭ用表示体駆動回路４０８は、実施形態１の画像消去手段として機能する。
すなわち、ＣＰＬＤ４０５は、サーミスタ３０２から検出された温度情報を元にして、故障を検出した場合、電源ＯＮ／ＯＦＦ回路を制御して故障したドライバ（故障ドライバ）への電力供給を停止する。そして、表示体駆動制御回路４０３は、ＳＥＧ用表示体駆動回路４０７、ＣＯＭ用表示体駆動回路４０８を介して、電力供給が停止されたドライバを除く他のドライバの駆動を制御して表示中の画像を消去する。
【００３７】
より具体的には、実施形態１のコントローラ４０は、次のように動作する。
実施形態１の画像表示装置では、サーミスタ３０２ａ〜３０２ｅによって検出された温度がＡＤＣ４１１を介してＣＰＬＤ４０５に入力される。ＣＰＬＤ４０５は、図３で説明した等の方法でＹドライバ１〜Ｎ、Ｘドライバ１〜Ｍのうち１つまたは複数を故障ドライバと特定する。
【００３８】
実施形態１では、Ｘドライバ１〜Ｍ、Ｙドライバ１〜Ｎに対応させて電源生成回路４０１、４０２を設けている。このため、Ｘドライバ１〜Ｍ、Ｙドライバ１〜Ｎに個別に電力供給することが可能である。電源ＯＮ／ＯＦＦ回路４０４は、ＣＰＬＤ４０５の制御により、故障ドライバと特定したドライバに対応する電源生成回路４０１、４０２だけをオフする。また、故障ドライバ以外のドライバは通常の動作時と同様にオンする。
【００３９】
次に、表示体駆動回路４０３は、ＳＥＧ用表示体駆動回路４０７、ＣＯＭ用表示体駆動回路４０８を制御し、ディスプレイ３０１の全画面の書換えを行う。書換えは、例えば、故障ドライバに対応する画素以外の全ての画素に液晶をホメオトロピック配向にする電圧を印加した後、印加した電圧を切断する。これにより、液晶をプレーナ配向に遷移することができ、全白状態にすることが出来る。
【００４０】
図５は、実施形態１の画像表示装置の電力供給の制御にかかる動作を説明するためのフローチャートである。
実施形態１の画像表示装置は、ユーザが書換えボタン４０６を操作した場合（Ｓ５０１）、サーミスタ３０２ａ〜３０２ｅが検出した温度をＡＤＣ４１１が取り込んでデジタル値に変換する（Ｓ５０２）。ＣＰＬＤ４０５は、デジタル変換された温度の測定されたサーミスタによる相違を得るために各温度の差分を算出する（Ｓ５０３）。なお、差分算出の方法は、サーミスタの位置関係や個数、解析方法によって決定される。
【００４１】
ＣＰＬＤ４０５は、得られた差分値をしきい値と比較し（Ｓ５０４）、差分値がしきい値以上であった場合にはドライバの故障と故障ドライバを特定する（Ｓ５０４：Ｙｅｓ）。なお、差分値がしきい値以下であった場合（Ｓ５０４：Ｎｏ）、故障が発生していないとして処理が終了する。
故障が検出された場合、ＣＰＬＤ４０５は、制御の対象となるドライバ（故障ドライバ）に対応する電源生成回路４０１または電源生成回路４０２をオフし、他の電源生成回路４０１または電源生成回路４０２をオンする（Ｓ５０５）。そして、ＳＥＧ用表示体駆動回路４０７、ＣＯＭ用表示体駆動回路４０８を制御し、故障ドライバを除くドライバによってディスプレイ３０１の画面を書換えて画像を消去する（Ｓ５０６）。
【００４２】
さらに、ＣＰＬＤ４０５は、画像表示装置全体の電源をオフする（Ｓ５０７）。電源をオフしたことにより、液晶は、フォーカルコニックまたはプレーナの状態を維持して安定する。
このような動作により、実施形態１は、画面において、電源がオフされたドライバによって駆動されていた領域に表示されていた画像だけが残るものの、画面の大部分を書換えることができる。
【００４３】
実施形態１によれば、画像表示装置の使用中にドライバの故障を検出し、さらに故障した故障ドライバを特定することができる。また、電源生成回路４０１、４０２のうち故障ドライバに供給される電圧を生成する電源生成回路をオフし、他の回路を通常通りオンさせておくことができる。このため、画面のうち故障したドライバによって制御される領域以外の大部分を書換えることができる。
【００４４】
このような実施形態１は、機密性の高い情報を含む画像が表示されている状態でディスプレイ３０１が故障した場合、情報を第三者に知られることを防ぐことができる。
（実施形態２）
次に、本発明の実施形態２について説明する。
図６は、実施形態２の画像表示装置を説明するための図である。図中、実施形態１で説明した構成と同様の構成については同様の符号を付し、説明を一部略す。
【００４５】
実施形態２の画像表示装置は、サーミスタ３０２ａ〜サーミスタ３０２ｅを備えたディスプレイ３０１と、ディスプレイ３０１への電力供給を制御するコントローラ６０とでなる。
コントローラ６０は、ＣＯＭ用表示体駆動回路４０８、ＳＥＧ用表示体駆動回路４０７と接続し、表示体駆動制御回路４０３、ＣＰＬＤ４０５、ＡＤＣ４１１を備えている。実施形態２においても、ＣＰＬＤ４０５は、サーミスタ３０２ａ〜サーミスタ３０２ｅによって検出された温度の相違に基づいて、温度を検出したサーミスタ３０２ａ〜サーミスタ３０２ｅに対応するドライバの故障を検出する故障検出手段として機能すると共に、電源ＯＮ／ＯＦＦ回路を制御する制御手段として機能する。
【００４６】
ＣＰＬＤ４０５は、故障が検出されたドライバ情報に基づいて故障ドライバがＹドライバ群、Ｘドライバ群のいずれに含まれるかを判定する。
また、実施形態２は、ＳＥＧ用表示体駆動回路４０７に電力を供給する消去用電源生成回路６０３、ＣＯＭ用表示体駆動回路４０８に電力を供給する消去用電源生成回路６０４を備えている。実施形態２では、消去用電源生成回路６０３、６０４を直流電圧でＹドライバ１〜Ｎ、Ｘドライバ１〜Ｍに電圧を供給する構成とした。消去用電源生成回路６０３、６０４が出力する電圧は、液晶を白表示させることが可能なＶＤＤＨの値を有している。
【００４７】
表示体駆動制御回路４０３は、故障ドライバが含まれるドライバ群（実施形態２ではＹドライバ群とする）への電力供給を停止し、消去用電源生成回路６０４によってＹドライバ群に含まれるドライバに電力を供給し、表示中の画像を消去する。このような表示体駆動制御回路４０３は、実施形態２の画像消去手段として機能する。なお、実施形態２では、Ｙドライバ群を第１ドライバ群、Ｘドライバ群を第２ドライバ群とする。
【００４８】
以上述べた実施形態２の構成は、以下のように動作する。
すなわち、ＣＰＬＤ４０５によって故障が検出された場合、ＣＰＬＤ４０５は、電源ＯＮ／ＯＦＦ回路を制御し、電源生成回路からの電力出力をＯＦＦすることで、故障ドライバが含まれるＹドライバ群へ昇圧された電圧（ＨＶ系電圧）を供給することを停止する。同時に消去用電源生成回路６０３を駆動し、ＳＥＧ用表示体駆動回路を制御して、Ｘドライバ群に液晶をホメオトロピック配向状態にする電圧を出力するための電圧を供給する。ＨＶ系電圧供給後、電圧をＧＮＤにすることにより、ホメオトロピック配向からプレーナ配向への遷移が行われ、ディスプレイ３０１の全画面を白にする書換えが行われる。
【００４９】
なお、実施形態２では、上記した動作に加え、Ｙドライバ群にもＧＮＤ電圧を電極に印加させてディスプレイ３０１を確実に書換えるものとした。ただし、通常の構成では、Ｙドライバの中に故障ドライバが存在するため、Ｙドライバ群に電圧を加えることができない。そこで、実施形態２では、Ｙドライバ群に走査電極３０３にＧＮＤ電圧を供給するグラウンド電圧供給手段を設けている。
【００５０】
図７は、Ｙドライバ及びＸドライバの構成をより詳細に示した図である。Ｙドライバ及びＸドライバは、各々異なる電圧がドレイン電極に接続された８個のトランジスタで構成されている。なお、Ｙドライバ及びＸドライバは、各々が異なる８段階の電圧値に対応して同一の出力オン抵抗値が設定されることが望ましい。このため、Ｙドライバ及びＸドライバは、ｐチャネルのトランジスタとｎチャネルのトランジスタとを混在させて構成されている。
【００５１】
ＹドライバまたはＸドライバに、例えばＶ１を走査電極もしくはデータ電極に供給するようなデータ入力が表示体駆動制御回路４０３からされると、８つのトランジスタのうちＶ１に対応するトランジスタだけがオンする。Ｖ１に対応するトランジスタのオンにより、ドライバは、対応する走査電極もしくはデータ電極への供給電圧として、Ｖ１を出力する。
【００５２】
また、Ｙドライバ及びＸドライバは、ドライバ故障時に消去用のＧＮＤを供給可能とするためのトランジスタ７０１を有しており、ドレインがＧＮＤに、ソースが各出力電極に接続されている。通常動作時にはトランジスタ７０１がオフしていることによってＧＮＤと出力電極は切り離されている。実施形態２は、トランジスタ７０１をグラウンド電圧供給手段として使用する。そして、ＣＰＬＤ４０５の制御により、消去用電源生成回路６０４が生成したＨＶ系のＶＤＤＨ電圧をトランジスタ７０１のゲート電極に供給することで、トランジスタ７０１をオンする。
【００５３】
トランジスタ７０１のオンにより、ＹドライバからＧＮＤ電圧の値を持った電気的信号が供給電圧として出力する。供給電圧によって走査電極３０３にＧＮＤ電圧が印加される。ディスプレイ３０１の画素を構成する液晶は、データ電極３０４によってＨＶ系の電圧を印加される一方、走査電極３０３によってＧＮＤ電圧を印加され、画像の書換え時と同様の条件で白を表示することになる。
【００５４】
図８は、実施形態２の画像表示装置の電力供給の制御にかかる動作を説明するためのフローチャートである。
実施形態２の画像表示装置は、ユーザが書換えボタン４０６を操作した場合（Ｓ８０１）、サーミスタ３０２ａ〜３０２ｅが検出した温度をＡＤＣ４１１が取り込んでデジタル値に変換する（Ｓ８０２）。ＣＰＬＤ４０５は、デジタル変換された温度の測定されたサーミスタによる相違を得るために各温度の差分を算出する（Ｓ８０３）。なお、差分算出の方法は、サーミスタの位置関係や個数、解析方法によって決定される。
【００５５】
ＣＰＬＤ４０５は、得られた差分値をしきい値と比較し（Ｓ８０４）、差分値がしきい値以上であった場合にはドライバの故障と故障ドライバを特定する（Ｓ８０４：Ｙｅｓ）。なお、差分値がしきい値以下であった場合（Ｓ８０４：Ｎｏ）、故障が発生していないとして処理が終了する。
故障が検出された場合、ＣＰＬＤ４０５は、制御の対象となるドライバ（故障ドライバ）が含まれる第１ドライバ群に電力を供給する電源生成回路６０１または電源生成回路６０２をオフする（Ｓ８０５）。そして、他方の電源生成回路６０１または電源生成回路６０２もオフする一方、消去用電源生成回路６０３または消去用電源生成回路６０４から故障ドライバを含む第１ドライバ群の全ドライバに対して、消去用電圧を供給して、各ドライバが有するトランジスタ７０１をオンする（Ｓ８０６）。
【００５６】
さらに、ＣＰＬＤ４０５は、消去用電源生成回路６０３または消去用電源生成回路６０４から他方の第２ドライバ群に電力を供給して液晶をホメオトロピック配向に遷移させるための電圧を印加する（Ｓ８０７）。電圧の印加後、供給電圧をＯＦＦにすることにより、液晶状態はプレーナ配向に遷移し、ディスプレイ３０１の画面は全て白表示となって、表示されていた画像が消去される。
【００５７】
以上の処理の後、ＣＰＬＤ４０５は、画像表示装置全体の電源をオフする（Ｓ８０８）。電源をオフしたことにより、液晶は、プレーナの状態を維持して安定する。
以上述べた実施形態２によれば、画像表示装置の使用中にドライバの故障を検出し、さらに故障した故障ドライバが含まれる第１ドライバ群を特定することができる。また、故障ドライバを含む第１ドライバ群に対しては、電源生成回路６０１もしくは６０２からの電源供給をＯＦＦとし、消去用電源生成回路６０３、６０４を稼動させることによって、対応する電極へのＧＮＤ供給を可能とし、故障を含まない他方の第２ドライバ群に対しても、他方の消去用電源回路よりＶＤＤＨを供給することによって、液晶の各電極に高電圧を印加し、ディスプレイの全画面を書換えることができる。したがって、実施形態２は、表示されていた画像を全て消去することができる。
【００５８】
このような実施形態２は、機密性の高い情報を含む画像が表示されている状態でディスプレイ３０１が故障した場合、情報を第三者に知られることを防ぐことができる。
なお、実施形態２は、以上述べた構成に限定されるものではない。すなわち、実施形態２では、電源生成回路６０１、６０２とは別個の消去用電源生成回路６０３、６０４を設けている。しかし、実施形態２は、ドライバが故障した場合に故障ドライバを含まないドライバ群に既存の電源生成回路６０１、６０２が電力を供給するものであってもよい。
【００５９】
さらに、一般的に液晶は直流電圧の印加によって劣化することが知られている。実施形態２は、消去用電源生成回路６０３、６０４によって直流電圧を供給するものとしているが、ドライバの故障によってディスプレイ３０１が廃棄されるものとするのでこの点が問題になることはない。
また、実施形態１及び実施形態２は、表示体として、コレステリック液晶を対象としたが、これに限定されるものではなく、画面書換え時に、温度パラメータを必要とする全ての記憶性表示体にも適用することが可能である。
【図面の簡単な説明】
【００６０】
【図１】一般的なディスプレイにおけるコレステリック液晶の配向状態を説明するための図である。
【図２】図１に示した配向状態を実現するためのＤＤＳ駆動における電圧印加のタイミングを示した図である。
【図３】本発明の実施形態１の画像表示装置のディスプレイを説明するための図である。
【図４】図３に示したディスプレイを備えた実施形態１の画像表示装置を説明するための図である。
【図５】実施形態１の画像表示装置の電力供給の制御にかかる動作を説明するためのフローチャートである。
【図６】本発明の実施形態２の画像表示装置を説明するための図である。
【図７】図３に示したＹドライバ及びＸドライバの構成をより詳細に示した図である。
【図８】実施形態２の画像表示装置の電力供給の制御にかかる動作を説明するためのフローチャートである。
【符号の説明】
【００６１】
１ ガラス基板、２ 光吸収層、３ 透明電極、４ コレステリック液晶、３０１  ディスプレイ、３０２ａ〜３０２ｅ  サーミスタ、３０３  走査電極、３０４  データ電極、４０１，４０２  電源生成回路、４０３  表示体駆動制御回路、４０４  電源ＯＮ／ＯＦＦ回路、４０５  ＣＰＬＤ、４０６  画像書換えボタン、４０７  ＳＥＧ用表示体駆動回路、４０８  ＣＯＭ用表示体駆動回路、６０１，６０２  電源生成回路、６０３，６０４  消去用電源生成回路、７０１  トランジスタ
【図１】
2007286316.tif 000003
【図２】
2007286316.tif 000004
【図３】
2007286316.tif 000005
【図４】
2007286316.tif 000006
【図５】
2007286316.tif 000007
【図６】
2007286316.tif 000008
【図７】
2007286316.tif 000009
【図８】
2007286316.tif 000010